(57)【要約】【課題】  室内から空気を吸入して熱交換を行った後に室内に吹き出す空気調和装置において、種々の気流制御を行うことができるようにする。【解決手段】  空気調和装置１は、室内から空気を吸入して熱交換を行った後に室内に吹き出す空気調和装置であって、ケーシング２と、熱交換器４と、複数のダンパ７とを備えている。ケーシング２は、室内から空気を吸入するための吸入口２１と、室内に空気を吹き出すための複数の吹出口２２とを有している。熱交換器４は、ケーシング２内に配置されている。各ダンパ７は、吸入口２１からケーシング２内に吸入された空気を、熱交換器４を通過した後に各吹出口２２から室内に吹き出される熱交通過空気Ｆ１と、熱交換器４を通過することなく各吹出口２２から室内に吹き出される熱交回避空気Ｆ２とに分岐するとともに、熱交通過空気Ｆ１の流量と熱交回避空気Ｆ２の流量とを調節する。【選択図】      図４
2006064264.tif 000002
【特許請求の範囲】
【請求項１】
室内から空気を吸入して熱交換を行った後に室内に吹き出す空気調和装置であって、
室内から空気を吸入するための吸入口（２１）と、室内に空気を吹き出すための吹出口（２２）とを有するケーシング（２）と、
前記ケーシング内に配置された熱交換器（４）と、
前記吸入口から前記ケーシング内に吸入された空気を、前記熱交換器を通過した後に前記吹出口から室内に吹き出される熱交通過空気（Ｆ１）と、前記熱交換器を通過することなく前記吹出口から室内に吹き出される熱交回避空気（Ｆ２）とに分岐するとともに、前記熱交通過空気の流量と前記熱交回避空気の流量とを調節する流量調節機構（７）と、
を備えた空気調和装置（１）。
【請求項２】
前記ケーシング（２）は、室内の天井（Ｕ）に設置可能であり、
前記吹出口（２２）は、前記熱交回避空気（Ｆ２）を天井に沿って吹き出すことができるように形成されている、
請求項１に記載の空気調和装置（１）。
【請求項３】
前記吹出口（２２）は、前記熱交通過空気（Ｆ１）を前記熱交回避空気（Ｆ２）に比べて前記吸入口に近い位置から吹き出すことができるように形成されている、請求項２に記載の空気調和装置（１）。
【請求項４】
前記吸入口（２１）は、前記ケーシング（２）の下面に配置されており、
前記吹出口（２２）は、前記吸入口を囲むように前記ケーシング（２）に複数形成されており、
前記流量調節機構（７）は、前記各吹出口に対応して配置されている、
請求項３に記載の空気調和装置（１）。
【請求項５】
前記各流量調節機構（７）は、個別に制御可能である、請求項４に記載の空気調和装置（１）。
【請求項６】
単一の空間に空気調和装置を複数台配置して空調を行う際に、近隣の空気調和装置に向けて前記熱交回避空気（Ｆ２）を送るように前記各流量調節機構（７）を制御する、請求項５に記載の空気調和装置（１）。
【請求項７】
前記吹出口（２２）は、前記熱交通過空気（Ｆ１）を吹き出す第１吹出口（２２ａ）と、前記第１吹出口から離れて配置されており前記熱交回避空気（Ｆ２）を吹き出す第２吹出口（２２ｂ）とから構成されている、請求項１〜６のいずれかに記載の空気調和装置（１）。
【請求項８】
前記熱交換器（４）は、その上端部と前記ケーシング（２）の天面との間に前記熱交回避空気（Ｆ２）を流すための流路（６）を空けて配置されており、
前記流量調節機構（７）は、前記流路を開閉可能である、
請求項１〜７のいずれかに記載の空気調和装置（１）。
【請求項９】
前記流量調節機構（７）は、ダンパである、請求項８に記載の空気調和装置（１）。
【発明の詳細な説明】
【技術分野】
【０００１】
本発明は、空気調和装置、特に、室内から空気を吸入して熱交換を行った後に室内に吹き出す空気調和装置に関する。
【背景技術】
【０００２】
従来より、室内から空気を吸入して熱交換を行った後に室内に吹き出す空気調和装置が知られている。このような空気調和装置の一例として、天井面に直接設置される天井吊下型の空気調和装置等の天井設置型の空気調和装置がある。
このような空気調和装置は、主として、室内から空気を吸入するための吸入口と室内に空気を吹き出すための吹出口とを有するケーシングと、ケーシング内に配置された熱交換器とを備えており、吸入口からケーシング内に吸入された空気を、熱交換器を通過した後に吹出口から室内に吹き出すことによって、室内の空気調和を行っている（例えば、特許文献１参照。）。
【特許文献１】特開平１０−１５３１９２号公報
【発明の開示】
【発明が解決しようとする課題】
【０００３】
上記従来の空気調和装置における気流制御としては、ケーシング内に設けられた送風ファンの回転数を可変することによる吸入空気及び吹出空気の風量制御や、吹出口に設けられた水平羽根の角度を可変することによる吹出空気の風向制御が行われている。
しかし、近年では室内の快適性を高めることが強く望まれており、空気調和装置においても、上記のような気流制御の他に、多彩な気流制御を行うことができることが望ましい。
【０００４】
本発明の課題は、室内から空気を吸入して熱交換を行った後に室内に吹き出す空気調和装置において、種々の気流制御を行うことができるようにすることにある。
【課題を解決するための手段】
【０００５】
第１の発明にかかる空気調和装置は、室内から空気を吸入して熱交換を行った後に室内に吹き出す空気調和装置であって、ケーシングと、熱交換器と、流量調節機構とを備えている。ケーシングは、室内から空気を吸入するための吸入口と、室内に空気を吹き出すための吹出口とを有している。熱交換器は、ケーシング内に配置されている。流量調節機構は、吸入口からケーシング内に吸入された空気を、熱交換器を通過した後に吹出口から室内に吹き出される熱交通過空気と、熱交換器を通過することなく吹出口から室内に吹き出される熱交回避空気とに分岐するとともに、熱交通過空気の流量と熱交回避空気の流量とを調節する。
【０００６】
この空気調和装置では、吸入口からケーシング内に吸入された空気を、流量調節機構によって、熱交通過空気と熱交回避空気とに分岐するとともに、熱交通過空気の流量と熱交回避空気の流量とを調節することができるため、種々の気流制御を行うことが可能となる。
第２の発明にかかる空気調和装置は、第１の発明にかかる空気調和装置において、ケーシングは、室内の天井に設置可能である。吹出口は、熱交回避空気を天井に沿って吹き出すことができるように形成されている。
【０００７】
この空気調和装置は、天井設置型の空気調和装置であり、熱交回避空気を天井に沿って吹き出すことができるため、熱交回避空気による室内の空調運転への影響を小さくすることができる。
第３の発明にかかる空気調和装置は、第２の発明にかかる空気調和装置において、吹出口は、熱交通過空気を熱交回避空気に比べて吸入口に近い位置から吹き出すことができるように形成されている。
【０００８】
この空気調和装置では、熱交回避空気を天井に沿って吹き出し、かつ、熱交通過空気を吸入口から近い位置から吹き出すことによって、室内に吹き出された熱交通過空気が吸入口から吸入され易くなる状態（以下、弱ショートサーキット状態とする）となり、熱交通過空気が空気調和装置付近の空間から拡散されにくくなるため、空気調和装置付近の空間を積極的に空気調和する状態（以下、ゾーン空調とする）を実現することができる。
【０００９】
第４の発明にかかる空気調和装置は、第３の発明にかかる空気調和装置において、吸入口は、ケーシングの下面に配置されている。吹出口は、吸入口を囲むようにケーシングに複数形成されている。流量調節機構は、各吹出口に対応して配置されている。
この空気調和装置では、ケーシングの下面に配置された吸入口を囲むように複数の吹出口が形成されており、そして、各吹出口に対応して流量調節機構が配置されているため、吸入口の直下付近の空間のゾーン空調を実現することができる。
【００１０】
第５の発明にかかる空気調和装置は、第４の発明にかかる空気調和装置において、各流量調節機構は、個別に制御可能である。
この空気調和装置では、各吹出口に対応して配置された流量調節機構が個別に制御可能であるため、ゾーン空調を行いつつ他の気流制御を行う等のように、さらに種々の気流制御を実現することができる。
【００１１】
第６の発明にかかる空気調和装置は、第５の発明にかかる空気調和装置において、単一の空間に空気調和装置を複数台配置して空調を行う際に、近隣の空気調和装置に向けて熱交回避空気を送るように各流量調節機構を制御する。
この空気調和装置では、単一の空間に複数台の空気調和装置の１つとして配置される場合に、近隣の空気調和装置に向けて熱交回避空気を送るように各流量調節機構を制御することができるため、熱交回避空気を近隣の空気調和装置に送ることができる。すなわち、この空気調和装置では、近隣に配置された他の空気調和装置との間で、処理空気のやりとりを行うことができる。
【００１２】
第７の発明にかかる空気調和装置は、第１〜第６の発明のいずれかにかかる空気調和装置において、吹出口は、熱交通過空気を吹き出す第１吹出口と、第１吹出口と離れて配置されており熱交回避空気を吹き出す第２吹出口とから構成されている。
この空気調和装置では、吹出口が、熱交通過空気を吹き出す第１吹出口と熱交回避空気を吹き出す第２吹出口とから構成されているため、熱交通過空気と熱交回避空気とが混合するのを確実に防ぐことができる。
【００１３】
第８の発明にかかる空気調和装置は、第１〜第７の発明のいずれかにかかる空気調和装置において、熱交換器は、その上端部とケーシングの天面との間に熱交回避空気を流すための流路を空けて配置されている。流量調節機構は、流路を開閉可能である。
この空気調和装置では、熱交回避空気を流すための流路が熱交換器の上端部とケーシングの天面との間に設けられているため、熱交回避空気と熱交通過空気とを上下に分けて室内に吹き出すことができる。
【００１４】
第９の発明にかかる空気調和装置は、第８の発明にかかる空気調和装置において、流量調節機構は、ダンパである。
この空気調和装置では、流量調節機構がダンパであるため、熱交通過空気と熱交回避空気との分岐及び流量調節の操作を簡単な構造で容易に行うことができる。
【発明の効果】
【００１５】
以上の説明に述べたように、本発明によれば、以下の効果が得られる。
第１の発明では、吸入口からケーシング内に吸入された空気を、流量調節機構によって、熱交通過空気と熱交回避空気とに分岐するとともに、熱交通過空気の流量と熱交回避空気の流量とを調節することができるため、種々の気流制御を行うことが可能となる。
第２の発明では、熱交回避空気を天井に沿って吹き出すことができるため、熱交回避空気による室内の空気調和への影響を小さくすることができる。
【００１６】
第３の発明では、熱交回避空気を天井に沿って吹き出し、かつ、熱交通過空気を吸入口に近い位置から吹き出すことによって、室内に吹き出された熱交通過空気が吸入口から吸入され易くなる状態（以下、弱ショートサーキット状態とする）となり、熱交通過空気が空気調和装置付近の空間から拡散されにくくなるため、空気調和装置付近の空間を積極的に空気調和する状態（以下、ゾーン空調とする）を実現することができる。
【００１７】
第４の発明では、ケーシングの下面に配置された吸入口を囲むように複数の吹出口が形成されており、そして、各吹出口に対応して流量調節機構が配置されているため、吸入口の直下付近の空間のゾーン空調を実現することができる。
第５の発明では、各吹出口に対応して配置された流量調節機構が個別に制御可能であるため、ゾーン空調を行いつつ他の気流制御を行う等のように、さらに種々の気流制御を実現することができる。
【００１８】
第６の発明では、単一の空間に複数台の空気調和装置の１つとして配置される場合に、近隣の空気調和装置に向けて熱交回避空気を送るように各流量調節機構を制御することができるため、近隣に配置された他の空気調和装置との間で、処理空気のやりとりを行うことができる。
第７の発明では、吹出口が、熱交通過空気を吹き出す第１吹出口と熱交回避空気を吹き出す第２吹出口とから構成されているため、熱交通過空気と熱交回避空気とが混合するのを確実に防ぐことができる。
【００１９】
第８の発明では、熱交回避空気を流すための流路が熱交換器の上端部とケーシングの天面との間に設けられているため、熱交回避空気と熱交通過空気とを上下に分けて室内に吹き出すことができる。
第９の発明では、流量調節機構がダンパであるため、熱交通過空気と熱交回避空気との分岐及び流量調節の操作を簡単な構造で容易に行うことができる。
【発明を実施するための最良の形態】
【００２０】
以下、図面に基づいて、本発明にかかる空気調和装置の実施形態について説明する。
（１）空気調和装置の構成
図１は、本発明の空気調和装置の一実施形態にかかる天井設置型（より具体的には、天井吊下型）の空気調和装置１の斜視図である。図２は、空気調和装置１の概略の側面断面図である。
【００２１】
空気調和装置１は、室内から空気を吸入して熱交換を行った後に室内に吹き出す空気調和装置であり、室内の天井Ｕに設置される矩形箱型のケーシング２を備えている。ケーシング２は、主として、室内から空気を吸入するための吸入口２１と、室内に空気を吹き出すための吹出口２２とを有している。
吸入口２１は、ケーシング２の下面の略中央に配置された正方形状の開口である。吸入口２１には、室内から吸入される空気中に含まれる塵埃等を除去するためのフィルタ２３が設けられている。フィルタ２３は、ケーシング２の下面に装着された吸入グリル２４によって支持されている。
【００２２】
吹出口２２は、ケーシング２の側面に吸入口２１を囲むように複数形成されている。より具体的には、吹出口２２は、矩形箱型のケーシング２の４つの側面のそれぞれに配置されている。そして、各吹出口２２は、第１吹出口２２ａと第２吹出口２２ｂとから構成されている。第１吹出口２２ａは、ケーシング２の側面の上下方向の略中央に配置された長方形状の開口である。そして、各第１吹出口２２ａには、第１吹出口２２ａから室内に吹き出される空気の風向を制御するための水平羽根２５が設けられている。第２吹出口２２ｂは、第１吹出口２２ａの上側に第１吹出口２２ａから離れて配置された長方形状の開口である。そして、各第２吹出口２２ｂは、空気を天井Ｕに沿って室内に吹き出すことができる。また、各第１吹出口２２ａは、第２吹出口２２ｂよりも吸入口２１に近い位置から空気を室内に吹き出すことができる。
【００２３】
ケーシング２内には、室内の空気を吸入口２１からケーシング２内に吸入して、吹出口２２から室内に吹き出すための送風ファン３が設けられている。送風ファン３は、シュラウド３１と、エンドプレート３２との間に複数のブレード３３が保持されたターボファンである。送風ファン３は、ケーシング２内の略中央に配置されている。ケーシング２の天面の略中央には、送風ファン３を駆動するためのファンモータ３４がボルト等により固定されている。ファンモータ３４の駆動軸は、下方向に向かって延びており、送風ファン３のエンドプレート３２が軸支されている。また、送風ファン３の下側には、吸入口２１からケーシング２内に流入する空気を送風ファン３の内部に案内するベルマウス３５が設けられている。そして、送風ファン３は、ファンモータ３４により回転駆動されることによって、その下側からベルマウス３５を介して内部に空気を吸入し、外周側に吹き出すことができる。
【００２４】
ケーシング２内には、室内から吸入された空気の冷却や加熱を行うための熱交換器４が設けられている。熱交換器４は、互いに平行に配置された多数のプレートフィンと、これらのプレートフィンを板厚方向に貫通する複数の伝熱管とから構成されたクロスフィンチューブタイプの熱交換器である。熱交換器４は、送風ファン３の外周を囲むように配置されている。熱交換器４は、冷媒配管を介して図示しない熱源ユニットに接続されており、室内の冷房を行う際には伝熱管内を流れる冷媒の蒸発器として機能し、室内の暖房を行う際には伝熱管内を流れる冷媒の凝縮器として機能することによって、送風ファン３の外周側に吹き出されて熱交換器４を通過する空気の冷却や加熱を行うことができる。また、熱交換器４の下側には、熱交換器４において発生するドレン水を受けるためのドレンパン５が設けられている。また、熱交換器４は、その上端部とケーシング２の天面との間に、送風ファン３の外周側に吹き出された空気の一部を流すための流路６を空けて配置されている。そして、流路６は、本実施形態において、第１吹出口２２ａと第２吹出口２２ｂとの間を仕切る壁部２６によって、各吹出口２２の第２吹出口２２ｂに連通されている。このように、空気調和装置１では、吸入口２１からケーシング２内に吸入された空気の一部を、流路６及び第２吹出口２２ｂを通じて室内に吹き出すことができるようになっている。
【００２５】
空気調和装置１は、流路６を開閉可能なダンパ７をさらに備えている。ダンパ７は、各吹出口２２、すなわち、各第２吹出口２２ｂに対応して配置されている。ダンパ７は、本実施形態において、図示しないモータ等の駆動機構によって回動可能な板状の部材を有しており、図２の実線で示される状態にすることによって流路６に空気が流通可能な状態（以下、開状態とする）にし、図２の破線で示される状態にすることによって流路６に空気が流れない状態（以下、閉状態とする）にすることができる。また、ダンパ７は、開状態と閉状態との中間の状態（以下、小開状態とする）にすることによって、流路６を流れる空気の流量を調節することができる。このように、ダンパ７は、図４に示されるように、吸入口２１からケーシング２内に吸入された空気Ｆを、熱交換器４を通過した後に吹出口２２の第１吹出口２２ａから室内に吹き出される熱交通過空気Ｆ１と、熱交換器４を通過することなく吹出口２２の第２吹出口２２ｂから室内に吹き出される熱交回避空気Ｆ２とに分岐するとともに、熱交通過空気Ｆ１の流量と熱交回避空気Ｆ２の流量とを調節する流量調節機構としての機能を有している。さらに、本実施形態において、各ダンパ７は、個々に駆動機構を備える等のように、個別に制御可能に構成されている。
【００２６】
（２）空気調和装置の動作
次に、本実施形態の空気調和装置１の動作について説明する。
ここでは、空気調和装置１の単独動作と、単一の空間に空気調和装置１を１台配置した場合の動作と、単一の空間に空気調和装置１を含む空気調和装置を複数台配置した場合の動作とについて説明する。
【００２７】
＜空気調和装置１の単独動作＞
まず、図３を用いて、各ダンパ７を閉状態（すなわち、図３の破線で示される状態）で空気調和装置１を運転する場合の動作について説明する。
ファンモータ３４により送風ファン３を回転駆動すると、室内の空気は、吸入口２１及びフィルタ２３を通じてケーシング２内に吸入される。ケーシング２内に吸入された空気Ｆは、ベルマウス３５により送風ファン３の内部に案内され、回転する複数のブレード３３によって送風ファン３の外周側に吹き出される。送風ファン３から外周側に吹き出された空気は、ダンパ７が閉状態であるため、流路６側に分岐されることなく、熱交換器４を通過することにより、冷房運転時には冷却され暖房運転時には加熱された後に、熱交通過空気Ｆ１として各吹出口２２（具体的には、各第１吹出口２２ａ）から室内に吹き出される。そして、熱交通過空気Ｆ１は、各第１吹出口２２ａに設けられた水平羽根２５によって風向が制御されて、斜め下方向に吹き出される。
【００２８】
このように、各ダンパ７を閉状態にして空気調和装置１を運転する場合には、吸入口２１から吸入された空気Ｆは、全て、各吹出口２２から熱交換器４を通過した熱交通過空気Ｆ１となって、室内に吹き出されることになる。
次に、図４を用いて、ダンパ７を開状態（すなわち、図４の実線で示される状態）で空気調和装置１を運転する場合の動作について説明する。
【００２９】
ファンモータ３４により送風ファン３を回転駆動すると、室内の空気は、吸入口２１及びフィルタ２３を通じてケーシング２内に吸入される。ケーシング２内に吸入された空気Ｆは、ベルマウス３５により送風ファン３の内部に案内され、回転する複数のブレード３３によって送風ファン３の外周側に吹き出される。送風ファン３から外周側に吹き出された空気は、ダンパ７が開状態であるため、熱交換器４側と流路６側とに流れが分岐される。そして、熱交換器４側に分岐された空気は、熱交換器４を通過することにより、冷房運転時には冷却され暖房運転時には加熱された後に、熱交通過空気Ｆ１として各吹出口２２（具体的には、各第１吹出口２２ａ）から室内に吹き出される。そして、熱交通過空気Ｆ１は、各第１吹出口２２ａに設けられた水平羽根２５によって風向が制御されて、斜め下方向に向けて吹き出される。一方、流路６側に分岐された空気は、熱交換器４を通過することなく、熱交回避空気Ｆ２として各吹出口２２（具体的には、各第２吹出口２２ｂ）から室内に吹き出される。そして、熱交回避空気Ｆ２は、熱交通過空気Ｆ１の上側から天井Ｕに沿って吹き出される。
【００３０】
このように、各ダンパ７を開状態にして空気調和装置１を運転する場合には、吸入口２１から吸入された空気Ｆは、各吹出口２２から熱交換器４を通過した熱交通過空気Ｆ１と、各吹出口２２から熱交換器４を通過しない熱交回避空気Ｆ２となって、室内に吹き出されることになる。ここで、熱交回避空気Ｆ２は吹出口２２の第２吹出口２２ｂから天井Ｕに沿って吹き出され、かつ、熱交通過空気Ｆ１は吸入口２１に近い位置に形成された吹出口２２の第１吹出口２２ａから吹き出されているため、吸入口２１の直下付近の空間において、吸入口２１から吸入される空気Ｆの流量に比べて、吹出口２２から吹き出される熱交通過空気Ｆ１の流量が少ない状態となっている。すると、吸入口２１の直下付近の空間がその周囲の空間に比べてやや圧力が低い状態となるため、吹出口２２から室内に吹き出された熱交通過空気Ｆ１が吸入口２１から吸入され易くなる状態（以下、弱ショートサーキット状態とする）となり、熱交通過空気Ｆ１が空気調和装置１付近の空間（具体的には、吸入口２１の直下付近の空間）から拡散されにくくなる。これにより、空気調和装置１付近の空間を積極的に空気調和する状態（以下、ゾーン空調とする）を実現することができる。
【００３１】
＜単一の空間に空気調和装置１を１台配置した場合＞
次に、単一の空間に空気調和装置１を１台配置した場合の動作、特に、上記に説明したダンパ７を開状態（すなわち、図４の実線で示される状態）で空気調和装置１を運転する場合の動作を利用して、ゾーン空調を行う場合について説明する。
ダンパ７を開状態で空気調和装置１を運転すると、図５に示されるように、空気調和装置１が配置された空間Ｓのうち、空気調和装置１の直下に居るユーザーＡ付近の空間Ｓ１のみに対して、空気調和装置１から吹き出された熱交通過空気Ｆ１によってゾーン空調を行うことができる。このとき、ダンパ７の開度を変更して熱交回避空気Ｆ２の流量を調節することによって、弱ショートサーキット状態の程度を変えることができるため、例えば、ダンパ７を小開状態にして熱交回避空気Ｆ２の流量を小さくするとともに熱交通過空気Ｆ１の流量を大きくすることによって、弱ショートサーキット状態の程度を緩和し、指向性はやや弱くなるが、ゾーン空調を行う空間Ｓ１の範囲を拡げることができる。また、ダンパ７は個別に制御可能であるため、図５において、例えば、空間ＳのうちユーザーＡが居る空間Ｓ１を含む右半分の空間のみのゾーン空調を行う場合には、図５におけるユーザーＡの右側の空間の空調を行うために、図５におけるユーザーＡの右側の空間に面する吹出口２２に対応して設けられたダンパ７のみを閉状態にして（図３参照）、他の吹出口２２に対応して設けられたダンパ７のみを開状態にすることが可能である（図４参照）。
【００３２】
＜単一の空間に空気調和装置１を含む空気調和装置を複数台配置した場合＞
次に、単一の空間に空気調和装置１を含む空気調和装置を複数台配置した場合の動作、特に、上記に説明したダンパ７を開状態（すなわち、図４の実線で示される状態）で空気調和装置１を運転する場合の動作を利用して、ゾーン空調及び空気調和装置間における処理空気のやりとりを行う場合について説明する。
【００３３】
例えば、図６に示されるように、本実施形態の空気調和装置１を空間Ｓに２台配置した場合において、空間Ｓ１（図６における右側の空間）に対応して配置された空気調和装置１の直下にユーザーＡが居り、空間Ｓ２（図６における左側の空間）に対応して配置された空気調和装置１の直下付近にユーザーＢ、Ｃが居るものとする。ここで、ユーザーＡが他のユーザーＢ、Ｃとは異なる設定温度での空調を望む場合には、ユーザーＡが居る空間Ｓ１のみをゾーン空調を行うために、ユーザーＡの直上の空気調和装置１の各ダンパ７を開状態にして、熱交回避空気Ｆ２を天井Ｕに沿って吹き出され、かつ、熱交通過空気Ｆ１を斜め下向きに吹き出される運転を行う（図４参照）。そして、ユーザーＢ、Ｃが居る空間Ｓ２については、各ダンパ７を閉状態にして熱交通過空気Ｆ１のみが斜め下向きに吹き出される運転を行う（図３参照）。すると、空間Ｓ２に対応して配置された空気調和装置１から吹き出された熱交回避空気Ｆ２は、空間Ｓ２に対応して配置された空気調和装置１側に送られることになる。そして、空間Ｓ２に対応して配置された空気調和装置１では、この熱交回避空気Ｆ２を含む空気を吸入口２１から吸入して熱交通過空気Ｆ２として吹き出す運転が行われることになる。このように、本実施形態の空気調和装置１では、単一の空間Ｓに複数台の空気調和装置の１つとして配置される場合に、近隣の空気調和装置（図６では、空間Ｓ２に対応して配置された空気調和装置１）に向けて熱交回避空気Ｆ２を送るように各ダンパ７を制御することができるため、熱交回避空気Ｆ２を近隣の空気調和装置１に送ることができる。すなわち、空気調和装置１では、ゾーン空調を行うだけでなく、近隣に配置された他の空気調和装置との間で、処理空気のやりとりを行うことができる。
【００３４】
（３）空気調和装置の特徴
本発明にかかる空気調和装置１には、以下のような特徴がある。
（Ａ）
本実施形態の空気調和装置１では、吸入口２１からケーシング２内に吸入された空気Ｆを、流量調節機構として機能するダンパ７によって、熱交通過空気Ｆ１と熱交回避空気Ｆ２とに分岐するとともに、熱交通過空気Ｆ１の流量と熱交回避空気Ｆ２の流量とを調節することができるため、種々の気流制御を行うことが可能である。
【００３５】
また、本実施形態の空気調和装置１は、天井設置型の空気調和装置であり、熱交回避空気Ｆ２を天井に沿って吹き出すことができるため、熱交回避空気Ｆ２による室内の空調運転への影響を小さくすることができる。
また、吹出口２２は、熱交通過空気Ｆ１を吹き出す第１吹出口２２ａと熱交回避空気Ｆ２を吹き出す第２吹出口２２ｂとから構成されているため、熱交通過空気Ｆ１と熱交回避
空気Ｆ２とが混合するのを確実に防ぐことができる。
【００３６】
（Ｂ）
本実施形態の空気調和装置１では、さらに、吹出口２２が熱交通過空気Ｆ１を熱交回避空気Ｆ２に比べて吸入口２１に近い位置から吹き出すことができるように形成されている。より具体的には、空気調和装置１では、吸入口２１がケーシング２の下面に配置されており、吹出口２２がケーシング２の側面に吸入口２１を囲むように複数形成されており、ダンパ７が各吹出口２２に対応して配置されている。これにより、空気調和装置１では、熱交回避空気Ｆ２を天井Ｕに沿って吹き出し、かつ、熱交通過空気Ｆ１を吸入口２１に近い位置から吸入口２１を囲むように吹き出すことによって、弱ショートサーキット状態となり、熱交通過空気Ｆ１が空気調和装置１付近の空間から拡散されにくくなるため、空気調和装置１付近の空間（具体的には、吸入口２１の直下付近の空間）のゾーン空調を行うことができる。
【００３７】
このように、本実施形態の空気調和装置１では、エアカーテン等の追加機器を必要とすることなく、単一の空間を細かなゾーンに分割してゾーン空調を行うことが可能である。
（Ｃ）
本実施形態の空気調和装置１では、各吹出口２２に対応して配置された各ダンパ７が個別に制御可能であるため、ゾーン空調を行いつつ他の気流制御を行う等のように、さらに種々の気流制御を実現することができる。具体的には、空気調和装置１では、単一の空間に空気調和装置を複数台配置して空調を行う際に、近隣の空気調和装置に向けて熱交回避空気を送るように各ダンパ７を制御することができるため、熱交回避空気Ｆ２を近隣の空気調和装置に送ることができる。すなわち、空気調和装置１では、近隣に設置された他の空気調和装置との間で、処理空気のやりとりを行うことができる。
【００３８】
このように、本実施形態の空気調和装置１では、サーキュレータ等の追加機器を必要とすることなく、ゾーン空調を行いつつ単一の空間に配置された複数台の空気調和装置間で処理空気のやりとりを行うことができる。
（Ｄ）
本実施形態の空気調和装置１では、熱交換器４の上端部とケーシング２の天面との間に熱交回避空気Ｆ２を流すための流路６が形成されており、ダンパ７が流路６を開閉可能になっているため、熱交回避空気Ｆ２と熱交換空気Ｆ１とを上下に分けて室内に吹き出すことができる。しかも、熱交回避空気Ｆ２を天井Ｕに沿ってスムーズに吹き出すように案内することもできる。
【００３９】
（４）他の実施形態
以上、本発明の実施形態について図面に基づいて説明したが、具体的な構成は、これらの実施形態に限られるものではなく、発明の要旨を逸脱しない範囲で変更可能である。
（Ａ）
前記実施形態において、吹出口２２はケーシング２の側面に設けられていたが、側面ではなく下面に設けられていてもよいし、側面及び下面にわたって設けられていてもよい。
【００４０】
（Ｂ）
前記実施形態において、吹出口２２は第１吹出口２２ａと第２吹出口２２ｂとに分けられていたが、熱交回避空気Ｆ２が天井Ｕに沿って吹き出されるように流路６が形成されていれば、１つの開口で構成されていてもよい。
（Ｃ）
前記においては、送風ファンとしてターボファンを使用した天井設置型の空気調和装置に本発明を適用した実施形態を例に挙げて説明したが、送風ファンとして斜流ファン等の他の型式の遠心送風機を使用した空気調和装置に本発明を適用してもよい。
【産業上の利用可能性】
【００４１】
本発明を利用すれば、室内から空気を吸入して熱交換を行った後に室内に吹き出す空気調和装置において、種々の気流制御を行うことができる。
【図面の簡単な説明】
【００４２】
【図１】本発明の一実施形態にかかる天井吊下型の空気調和装置の斜視図である。
【図２】本発明の一実施形態にかかる天井吊下型の空気調和装置の概略の側面断面図である。
【図３】ダンパを閉状態で運転した場合の空気調和装置における空気の流れを示す図である。
【図４】ダンパを開状態で運転した場合の空気調和装置における空気の流れを示す図である。
【図５】単一の空間に本発明の一実施形態にかかる天井吊下型の空気調和装置を１台配置した場合の室内における空気の流れを示す図である。
【図６】単一の空間に本発明の一実施形態にかかる天井吊下型の空気調和装置を含む空気調和装置を複数台配置した場合の室内における空気の流れを示す図である。
【符号の説明】
【００４３】
１  空気調和装置
２  ケーシング
４  熱交換器
６  流路
７  ダンパ（流量調節機構）
２１  吸入口
２２  吹出口
２２ａ  第１吹出口
２２ｂ  第２吹出口
Ｆ１  熱交通過空気
Ｆ２  熱交回避空気
Ｕ  天井
【図１】
2006064264.tif 000003
【図２】
2006064264.tif 000004
【図３】
2006064264.tif 000005
【図４】
2006064264.tif 000006
【図５】
2006064264.tif 000007
【図６】
2006064264.tif 000008